(57)【特許請求の範囲】
【請求項１】
媒体が外部から挿入される媒体挿入口に設けられる、媒体挿入部であって、
上面が、前記媒体が搬送される搬送面であるステージと、
該ステージの両側に設けられたガイド部と
を備え、
前記ガイド部は、
利用者側に設けられ、上面が前記搬送面より高い第１部分と、
前記媒体挿入口側に、前記第１部分と段差をなして設けられ、前記第１部分側の上面が、前記第１部分の上面より高く、及び、前記媒体挿入口側の上面が、前記第１部分から前記媒体挿入口に向けて高さが低くなるスロープである第２部分と、
前記第２部分の上側に設けられ、前記第２部分と相俟って返却溝を構成する第３部分と
を備え、
前記返却溝の高さ方向の幅が、前記第１部分側より前記媒体挿入口側で広い
ことを特徴とする媒体挿入部。
【請求項２】
前記ガイド部は、前記第１部分、前記第２部分及び前記第３部分が一体として構成される
ことを特徴とする請求項１に記載の媒体挿入部。
【請求項３】
媒体が外部から挿入される媒体挿入口に設けられる、媒体挿入部であって、
上面が、前記媒体が搬送される搬送面であるステージと、
該ステージの両側に設けられたガイド部と
を備え、
前記ガイド部は、
利用者側に設けられ、上面が前記搬送面より高い第１部分と、
前記媒体挿入口側に、前記第１部分と段差をなして設けられ、前記第１部分側の上面が、前記第１部分の上面より高く、及び、前記媒体挿入口側の上面が、前記第１部分から前記媒体挿入口に向けて高さが低くなるスロープである第２部分と、
前記第２部分の上側に設けられ、前記第２部分と相俟って返却溝を構成する第３部分と
を備え、
前記返却溝の前記第１部分側の端部である返却口の、水平方向の幅が１０ｍｍであり、及び、垂直方向の高さが０．５ｍｍであるとき、前記返却口の、前記搬送面からの高さが少なくとも４．５ｍｍである
ことを特徴とする媒体挿入部。
【請求項４】
媒体が外部から挿入される媒体挿入口に設けられる、媒体挿入部であって、
上面が、前記媒体が搬送される搬送面であるステージと、
該ステージの両側に設けられたガイド部と
を備え、
前記ガイド部は、
利用者側に設けられ、上面が前記搬送面より高い第１部分と、
前記媒体挿入口側に、前記第１部分と段差をなして設けられ、前記第１部分側の上面が、前記第１部分の上面より高く、及び、前記媒体挿入口側の上面が、前記第１部分から前記媒体挿入口に向けて高さが低くなるスロープである第２部分と、
前記第２部分の上側に設けられ、前記第２部分と相俟って返却溝を構成する第３部分と
を備え、
前記返却溝の前記第１部分側の端部である返却口が水平方向に対して、前記搬送面側が高くなるように傾けて形成されている
ことを特徴とする媒体挿入部。
【請求項５】
前記返却口が水平方向に対して、前記搬送面側が高くなるように傾けて形成されている
ことを特徴とする請求項３に記載の媒体挿入部。
【請求項６】
前記返却口の水平方向に対する傾きの角度が最大でも４５°である
ことを特徴とする請求項４又は５に記載の媒体挿入部。
【発明の詳細な説明】
【技術分野】
【０００１】
この発明は、媒体挿入部に関するものであって、特に、現金自動預け払い機（ＡＴＭ：Ａｕｔｏｍａｔｅｄ  Ｔｅｌｌｅｒ  Ｍａｃｈｉｎｅ）などの処理装置が備える、払込書等の挿入口に設けられる媒体挿入部の構造に関する。
【背景技術】
【０００２】
媒体挿入部は、例えば、ＡＴＭの払込書挿入口に設けられる。払込書挿入口に挿入される払込書は、払込書挿入口の両側に設けられるガイド部によって、ステージ上の適切な位置にセットされた後、払込書挿入口に送られる。しかし、払込書が適切な位置にセットされていても、払込書がＡＴＭ内で斜行する場合がある。この場合、斜行した払込書を返却する際に、払込書挿入口の両側のガイド部に払込書が当たるなどして、払込書が破損する恐れがある。
【０００３】
このような払込書の破損を防ぐため、ステージの両側に回動ゲートを備える技術がある（例えば、特許文献１参照）。図８を参照して、特許文献１に開示されている、媒体挿入部の従来例について説明する。図８は、媒体挿入部の従来例を概略的に示す斜視図である。
【０００４】
媒体挿入部１００は、ＡＴＭの払込書挿入口１０５の部分に設けられる。媒体挿入部１００は、ステージ１１０と、ステージ１１０の両側に回動ゲート１２２を有するガイド部１２０とを備えている。
【０００５】
回動ゲート１２２は、払込書２００が外部から挿入される場合は回動しない。この結果、ステージ１１０のガイド部１２０で挟まれる領域以外の部分を通って、払込書２００が払込書挿入口１０５内に挿入されるのが防止される。一方、ＡＴＭ内で斜行した払込書２００が排出される場合は、回動ゲート１２２が外部に向かって回動して、払込書２００は破損することなく、排出される。
【０００６】
また、媒体挿入部の他の従来例として、ステージの両側のガイド部に返却溝を設けるものがある。図９を参照して、媒体挿入部の他の従来例について説明する。図９は、媒体挿入部の他の従来例の斜視図である。
【０００７】
媒体挿入部１０２は、ステージ１１２と、ステージ１１２の両側に、返却溝１３０が設けられたガイド部１２４を備えている。この構成では、払込書２００がＡＴＭ内で斜行した場合は、ステージ１１２のガイド部１２４で挟まれる領域からはみ出した払込書の部分は、返却溝１３０を経て排出されるので、払込書２００は破損することなく排出される。
【先行技術文献】
【特許文献】
【０００８】
【特許文献１】特許第３７５２３８３号公報
【発明の概要】
【発明が解決しようとする課題】
【０００９】
しかしながら、図８を参照して説明した構成では、ステージの両側に回動ゲートを設ける必要がある。このため、構造が複雑になり、コスト増につながる。
【００１０】
また、図９を参照して説明した構成では、返却溝の利用者側の端部である返却口が、ガイド部の、曲面上の面に形成されている。このため、ガイド部上に払込書が置かれるなど、払込書が誤セットされた場合に、払込書がガイド部の上面をなぞって返却溝に入り込む恐れがある。すなわち、正しくセットされていない払込書が装置内に取り込まれることになる。この場合、誤セットされた払込書が内部で斜行すると、返却される払込書がガイド部に引っかかり、払込書を傷つけることになる。
【００１１】
この発明は、上述の問題点に鑑みてなされたものであり、この発明の目的は、返却口を、ガイド部の上面に形成された段差部上に設けることにより、簡単な構造で、誤セットや斜行による払込書の損傷を防ぐ、媒体挿入部を提供することにある。
【課題を解決するための手段】
【００１２】
上述した目的を達成するために、この発明の媒体挿入部は、媒体が外部から挿入される媒体挿入口に設けられ、その上面が、媒体が搬送される搬送面であるステージと、ステージの両側に設けられたガイド部とを備えて構成される。
【００１３】
ガイド部は、第１部分、第２部分及び第３部分を備えている。第１部分は、利用者側に設けられ、その上面が搬送面より高い。第２部分は、媒体挿入口側に、第１部分と段差をなして設けられている。第２部分の第１部分側の上面は、第１部分の上面より高い。また、第２部分の媒体挿入口側の上面は、第１部分側から媒体挿入口に向けて高さが低くなるスロープである。第３部分は、第２部分の上側に設けられている。第３部分は、第２部分と相俟って返却溝を構成する。この返却溝の高さ方向の幅は、第１部分側より媒体挿入口側で広い。
【００１５】
また、返却溝の第１部分側の端部である返却口の水平方向の幅が１０ｍｍであり、及び、垂直方向の高さが０．５ｍｍであるとき、返却口の搬送面からの高さが少なくとも４．５ｍｍであるのが良い。
【００１６】
さらに、返却溝の第１部分側の端部である返却口が水平方向に対して、水平方向に対する傾きの角度が最大でも４５°であるように、搬送面側が高くなるように傾けて形成されていても良い。
【発明の効果】
【００１７】
この発明の媒体挿入部によれば、返却溝は、第１部分と段差をなして設けられている第２部分と、第３部分とで構成され、第２部分の第１部分側の上面が、第１部分の上面よりも高い。このため、誤セットされた払込書などの媒体は、第１部分と第２部分との境界にある段差にひっかかるので、誤セットされた払込書が、返却口を通過して媒体挿入口に入らない。この結果、簡単な構造で、誤セットや斜行による払込書の損傷を防ぐことができる。また、返却口の搬送面からの高さが、少なくとも４．５ｍｍであると、払込書がミシン目位置で折れている場合であっても、払込書が返却口に差し込まれることによる誤セットを抑制することができる。また、返却口を搬送面側が高くなるように傾けて形成すると、払込書のセットの際に、返却口への誤挿入をより効果的に防ぐことができる。
【図面の簡単な説明】
【００１８】
【図１】媒体挿入部を備えるＡＴＭの斜視図である。
【図２】払込書挿入部の斜視図である。
【図３】ガイド部の構造を説明するための模式図である。
【図４】払込書がＡＴＭ内で斜行する場合について説明するための模式図である。
【図５】払込書が誤セットされた場合について説明するための模式図である。
【図６】ミシン目を有する払込書がミシン目で折れた場合を示す模式図である。
【図７】返却口の正面図である。
【図８】媒体挿入部の従来例の斜視図である。
【図９】媒体挿入部の他の従来例の斜視図である。
【発明を実施するための形態】
【００１９】
以下、図を参照して、この発明の実施の形態について説明するが、各構成要素の形状、大きさ及び配置関係については、この発明が理解できる程度に概略的に示したものに過ぎない。また、以下、この発明の好適な構成例につき説明するが、数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００２０】
この発明の媒体挿入部は、例えば、銀行等の金融機関における自動機コーナーに設置される、現金自動預け払い機（ＡＴＭ：Ａｕｔｏｍａｔｅｄ  Ｔｅｌｌｅｒ  Ｍａｃｈｉｎｅ）などの処理装置が備える、払込書等の挿入口に設けられる。
【００２１】
図１は、媒体挿入部を備えるＡＴＭを概略的に示す斜視図である。ＡＴＭ１０には、媒体入出口としての払込書挿入口２０、通帳挿入口２２、カード挿入口２４、硬貨入出金スロット２６、紙幣入出金スロット２８及び表示部３０が設けられている。
【００２２】
払込書挿入口２０には、媒体として払込書が外部から挿入される。また、払込書挿入口２０はＡＴＭ１０内で処理された払込書を内部から排出する。払込書挿入口２０には、利用者が払込書をセットするために、媒体挿入部として払込書挿入部４０が設けられている。
【００２３】
通帳挿入口２２は、通帳が挿入される挿入口である。ＡＴＭ１０内では、挿入された通帳に対して、通帳記帳などの処理が行われる。
【００２４】
カード挿入口２４は、キャッシュカードやクレジットカードなどの各種カードが挿入される挿入口である。ＡＴＭ１０内では、挿入された各種カードに格納されている情報などから、利用者のＩＤの確認が行われる。
【００２５】
硬貨及び紙幣入出金スロット２６及び２８は、それぞれ、硬貨及び紙幣の入金又は出金がなされるスロットである。
【００２６】
表示部３０は、利用者に対して案内画面を表示するディスプレイである。なお、ディスプレイには、タッチパネルが設けられている。顧客は、ディスプレイ上の所定の位置に触れることで、目的とする取引内容を選択できる。
【００２７】
ＡＴＭ１０には、上述した各構成要素以外にも、トラブルがあった際に、利用者が行員と通話を行う受話器や、保守用の扉などを備えているが、ここでは、図示及び説明を省略する。
【００２８】
図２を参照して、媒体挿入部として払込書挿入部の構造について説明する。図２は、払込書挿入部を概略的に示す斜視図である。
【００２９】
払込書挿入部４０は、ステージ４２と、ガイド部５０とを備えて構成される。ステージ４２の上面が、媒体としての払込書９０が搬送される搬送面４６である。払込書９０は、払込書挿入口２０へ挿入され、あるいは、払込書挿入口２０から排出される際に、搬送面４６上を搬送される。
【００３０】
ガイド部５０は、ステージ４２の両側に設けられている。ガイド部５０は、搬送面４６に対して段差をなして形成されていて、その上面が搬送面４６よりも高い位置にある。このように構成することにより、利用者が払込書９０をステージ４２上にセットする際に、払込書９０はステージ４２上の適切な位置に誘導される。
【００３１】
図３を参照して、ガイド部の構造について説明する。図３（Ａ）及び（Ｂ）は、ガイド部の構造を説明するための模式図である。図３（Ａ）は、特に払込書挿入部４０のガイド部５０の部分を拡大して示す斜視図である。図３（Ｂ）は、ガイド部５０の側面図である。
【００３２】
ガイド部５０は、第１部分５２、第２部分５４及び第３部分５６を備えている。第１部分５２と、第２部分５４は、払込書が搬送される方向（図中、矢印Ｉで示す。）に沿って設けられている。第１部分５２が利用者側に設けられ、第２部分５４が払込書挿入口２０側に設けられている。
【００３３】
第１部分５２の上面５２ａは、搬送面４６よりも高く形成されている。第１部分５２の上面５２ａの搬送面からの高さｈ１は、利用者に正しい位置に払込書をセットさせるために、少なくとも３ｍｍであるのが良い。
【００３４】
第２部分５４は、第１部分５２と段差をなして設けられている。第１部分５２側の、第２部分５４の上面５４ａは、第１部分５２の上面５２ａよりも高く形成されている。第２部分５４の、払込書挿入口２０側の上面５４ｂは、第１部分５２側から払込書挿入口２０へ向けて高さが低くなるスロープとして形成されている。
【００３５】
なお、図３（Ａ）及び（Ｂ）では第２部分５４の、第１部分５２側の上面５４ａは、水平に設けられている例を示しているが、これに限定されない。第１部分５２側の上面５４ａを、スロープ５４ｂを延在させた形状としても良い。なお、利用時の安全の観点からは、第１部分５２側の上面５４ａは、搬送方向（Ｉ）の長さが３ｍｍ程度の水平面とするのが良い。
【００３６】
第３部分５６は、第２部分５４の上側に設けられている。第３部分５６は、第２部分５４と、特に第２部分のスロープ５４ｂと相俟って返却溝５８を構成する。返却溝５８は、払込書が通過可能となっている。返却溝５８内を通過する払込書は、第２部分５４の払込書挿入口２０側の上面５４ｂのスロープ上を搬送される。
【００３７】
なお、誤セットされた払込書が返却溝５８内に差し込まれるのを防ぐためには、第１部分５２側の、第２部分５４の上面５４ａの、第１部分５２の上面５２ａからの高さｈ２は、少なくとも１．５ｍｍであるのが良い。
【００３８】
また、スロープ５４ｂの水平面に対する角度が大きくなると、座屈により返却溝５８内に払込書が送られない場合が出てくる。このため、スロープ５４ｂの水平面に対する角度は、座屈が起こりにくいように小さい角度にするのが良く、例えば３０°以下にするのが良い。
【００３９】
図４を参照して、払込書がＡＴＭ内で斜行する場合について説明する。図４は、払込書がＡＴＭ内で斜行する場合について説明するための模式図である。
【００４０】
払込書９０が適切な位置にセットされた場合であっても、ＡＴＭ内で斜行した払込書９０ａが返却される場合には、搬送面４６の、ガイド部５０で挟まれる領域からはみ出てしまうことがある。この場合に、払込書９０ａのはみ出した部分は、返却溝５８内のスロープ５４ｂ上を搬送されて返却される。
【００４１】
次に、図５を参照して、払込書が誤セットされた場合について説明する。図５は、払込書が誤セットされた場合について説明するための模式図である。図５（Ａ）は、払込書挿入部４０の部分を示し、図５（Ｂ）は、ガイド部５０の部分を拡大して示している。
【００４２】
この実施形態の構成では、ガイド部５０の第２部分５４が、第１部分５２に対してステップ状に形成されている。このため、利用者が、払込書９２をガイド部５０の第１部分５２上にセットするなど、払込書９２を誤セットした場合であっても、払込書９２がガイド部５０の第１部分５２と第２部分５４の境界の段差で止められるので、払込書挿入口内に入り込まない。さらに、第１部分５２と第２部分５４の境界に設けられた段差により、誤セットされた払込書９２が返却溝５８内に差し込まれるのを防ぐこともできる。
【００４３】
ガイド部５０の第１部分５２と第２部分５４の境界は、設計に応じて任意好適な形状にすることができる。図５では、第１部分５２側の、第２部分５４の側面５４ｃを垂直とした形状を示しているが、これに限定されるものではない。第１部分５２の上面５２ａと、第２部分５４の側面５４ｃとが、所定の角をなして連結されていて、第１部分５２の上面５２ａに対する第２部分５４の側面５４ｃの斜度が４５°以上、すなわち、第１部分５２の上面５２ａと第２部分５４の側面５４ｃで挟まれる角度θが１３５°以下であれば良い。角度θが９０°以下、すなわち、第２部分５４の側面５４ｃが第１部分５２上にひさし状に張り出す構成にしても良い。このように構成すると、一般的には、紙の先端部がガイド面をなぞらず、座屈するので、誤セットされた払込書９２が、返却溝５８内に差し込まれるのを防ぐことができる。
【００４４】
また、第２部分５４の側面５４ｃは、一平面で構成されていなくても良い。すなわち、第２部分５４の側面５４ｃをＳ字状にする、あるいは、階段状に複数の段差を設けるなど、第２部分５４の第１部分５２側の側面５４ｃに、第１部分５２の上面５２ａとの間の角度が９０°以下の部分がある形状としても良い。
【００４５】
次に、図６を参照して返却溝の位置、大きさについて説明する。図６は、ミシン目を有する払込書がミシン目で折れた場合を示す模式図である。図６（Ａ）は、払込書挿入部４０の部分を示す斜視図であり、図６（Ｂ）は、ガイド部５０の部分を拡大して示した正面図である。
【００４６】
返却溝５８の利用者側の端部である返却口６０の水平方向の幅ｄは、ＡＴＭ内での斜行角度に対する保証範囲や、実装される筺体の大きさ等により制限される。返却口６０の水平方向の幅ｄは、例えば、１０ｍｍとすることができる。
【００４７】
返却口６０の垂直方向の高さｗは、利用者が払込書９４を返却口６０に誤ってセットするのを防ぐことと、成形品の加工性を考慮して定められる。返却口６０の垂直方向の高さｗは、例えば、０．５ｍｍとすることができる。
【００４８】
ここでは、搬送面４６上にセットされた払込書９４について、利用者側から見て、右から長さｒ（＝５５ｍｍ）のところにミシン目９４ａが形成されているものとし、利用者側から見て、右側のガイド部５０の返却口６０との関係で説明する。
【００４９】
返却口６０の水平方向の幅ｄが１０ｍｍであり、垂直方向の高さｗが０．５ｍｍであるとする。また、第１部分５２の上面５２ａの搬送面４６からの高さｈ１が３ｍｍであり、第２部分５４の上面５４ａの第１部分５２の上面５２ａからの高さｈ２は、少なくとも１．５ｍｍであるとする。すなわち、返却口６０が、搬送面４６からの高さｈが４．５ｍｍの段差の上に、設けられているとする。
【００５０】
払込書９４が、ミシン目９４ａで折れた状態で、誤った位置にセットされた場合に、ガイド部５０にひっかからずに、ミシン目９４ａで折れた部分が、返却口６０から返却溝５８内に差し込まれ、払込書挿入口２０内に送られてしまう場合がある。
【００５１】
しかし、この実施形態の構成では、最も右にずれた状態でセットされた場合であっても、返却口６０内に差し込まれる払込書の長さが５ｍｍ程度となり、ミシン目９４ａで折れた部分の払込書の搬送面４６に対する角度αは５．７°となる。この場合、ガイド部５０からミシン目９４ａまでの距離ｘが５０ｍｍ程度となるので、ＡＴＭ内でミシン目位置９４ａでの折れが解消された場合に、払込書９４はガイド部５０に引っかかることなく、返却溝５８内を通過して返却される。この結果、払込書の損傷を防ぐことができる。
【００５２】
ここでは、返却口６０の搬送面４６からの高さｈを４．５ｍｍとした例について説明したが、この高さｈが４．５ｍｍ以上であれば、同様の効果が得られる。
【００５３】
また、この構成によれば、ミシン目折れの方向と、返却口の、水平方向に関する延在方向とが異なるので、意図しない、返却口への払込書の挿入を防ぐことができる。
【００５４】
図７を参照して、返却口の形状について説明する。図７（Ａ）及び（Ｂ）は、返却口の正面図である。
【００５５】
図７（Ａ）は、図２〜６を参照して説明した実施形態と同様に、返却口６０が水平方向に延在している状態を示しているが、これに限定されない。
【００５６】
図７（Ｂ）に示すように、払込書の折れや、湾曲が起こった場合に、返却口に入り込みにくい形状として、搬送面４６側が高くなるように傾けて返却口６２が形成されていてもよい。ガイド部５１に返却口６２を傾けて設ける場合は、返却時の払込書の排出を考慮すると、その傾きの角度βを最大でも４５°とするのが良い。すなわち、返却口６２の傾き角度βは０°以上４５°以下にするのが良い。
【００５７】
ここでは、媒体挿入部を、ＡＴＭの払込書挿入口に設ける例について説明したが、これに限定されない。例えば、銀行内で使用される多機能通帳記帳機や、帳票専用処理機の帳票セット部に媒体挿入部を設けても良い。
【符号の説明】
【００５８】
１０    ＡＴＭ
２０、１０５    払込書挿入口
２２    通帳挿入口
２４    カード挿入口
２６    硬貨入出金スロット
２８    紙幣入出金スロット
３０    表示部
４０    払込書挿入部
４２、１１０、１１２    ステージ
４６    搬送面
５０、５１、１２０、１２４    ガイド部
５２    第１部分
５４    第２部分
５６    第３部分
５８、１３０    返却溝
６０    返却口
９０、２００    払込書
１００、１０２    媒体挿入部
１２２    回動ゲート
【図１】
0005397041.tif 000002
【図２】
0005397041.tif 000003
【図３】
0005397041.tif 000004
【図４】
0005397041.tif 000005
【図５】
0005397041.tif 000006
【図６】
0005397041.tif 000007
【図７】
0005397041.tif 000008
【図８】
0005397041.tif 000009
【図９】
0005397041.tif 000010